(57)【要約】【課題】装着感のよいマスクを提供する。【解決手段】マスク１０は、可撓性および通気性を有して折り畳み可能なフィルター材で一端が開口すると共に他端が閉塞する袋状に形成された袋体１２と、袋体１２の開口側に設けられ、該袋体１２を周方向へ巾着状に引き絞り可能な保持手段１６とを備えている。また、マスク１０は、装着者のあご下に位置して袋体１２のずれ止めを図る規制部２４と、袋体１２の後側に接続され、周方向へ反対向きに延びる２本の装着体２６,２６とを備えている。マスク１０は、袋体１２の横側を回して前側で自由端を互いに接続した２本の装着体２６,２６により、袋体１２を前側にたぐり寄せて口元にスペースを画成できる。【選択図】図１
0003197743.tif 000002
【実用新案登録請求の範囲】
【請求項１】
可撓性および通気性を有して折り畳み可能なフィルター材で一端が開口すると共に他端が閉塞する袋状に形成され、頭に被る袋体(12)と、
前記袋体(12)において目に対応する位置に設けられ、該袋体(12)の内側から外側を透視可能な透視部(14)と、
前記袋体(12)の開口側に設けられ、該袋体(12)を周方向へ巾着状に引き絞り可能な保持手段(16)と、
前記保持手段(16)より上側に設けられ、前記袋体(12)を周方向にたぐり寄せる規制部(24)と、
前記袋体(12)の後側に接続され、周方向へ反対向きに延びる２本の装着体(26,26)とを備え、
前記袋体(12)の横側を回して該袋体(12)の前側で自由端を互いに接続する前記２本の装着体(26,26)により、袋体(12)を前側にたぐり寄せて口元にスペースを画成し得るよう構成された
ことを特徴とするマスク。
【請求項２】
前記２本の装着体(26,26)には、自由端のそれぞれに互いに接合可能な面ファスナー(28)が設けられる請求項１記載のマスク。
【請求項３】
前記規制部(24)は、前記袋体(12)にひだを設けるシャーリング加工で形成される請求項１または２記載のマスク。
【請求項４】
前記袋体(12)の閉塞端には、まち(12a)が設けられている請求項１〜３の何れか一項に記載のマスク。
【考案の詳細な説明】
【技術分野】
【０００１】
この考案は、口、鼻、耳および目を保護するマスクに関するものである。
【背景技術】
【０００２】
災害の発生時に用いる携帯型のマスクとして、例えば特許文献１のようなものが提案されている。特許文献１のマスクは、袋状に形成されており、頭に被るように装着することで、顔全体を覆うようになっている。これにより、特許文献１のマスクは、口および鼻だけを覆う一般的なマスクと異なり、地震や火山の噴火などで生じる灰や粉塵などがマスクと顔との隙間から粉塵などが入ることを防止したり、口、鼻、目および耳を保護することができる。
【先行技術文献】
【特許文献】
【０００３】
【特許文献１】特開２００７−３２１２５７号公報
【考案の概要】
【考案が解決しようとする課題】
【０００４】
しかしながら、特許文献１のマスクは、ベルトを首で締めているだけなので、ずれ易く、装着感が悪いといった問題が指摘される。特に、特許文献１のように通気性がないマスクが、口や鼻に密着してしまうと、息苦さを感じてしまう。
【０００５】
すなわち本考案は、従来の技術に係る前記問題に鑑み、これらを好適に解決するべく提案されたものであって、装着感のよいマスクを提供することを目的とする。
【課題を解決するための手段】
【０００６】
前記課題を克服し、所期の目的を達成するため、本願の請求項１に係る考案のマスクは、
可撓性および通気性を有して折り畳み可能なフィルター材で一端が開口すると共に他端が閉塞する袋状に形成され、頭に被る袋体と、
前記袋体において目に対応する位置に設けられ、該袋体の内側から外側を透視可能な透視部と、
前記袋体の開口側に設けられ、該袋体を周方向へ巾着状に引き絞り可能な保持手段と、
前記保持手段より上側に設けられ、前記袋体を周方向にたぐり寄せる規制部と、
前記袋体の後側に接続され、周方向へ反対向きに延びる２本の装着体とを備え、
前記袋体の横側を回して該袋体の前側で自由端を互いに接続する前記２本の装着体により、袋体を前側にたぐり寄せて口元にスペースを画成し得るよう構成されたことを要旨とする。
請求項１に係る考案によれば、折り畳むことができるので、携帯性に優れている。袋体を被ってマスクを頭に装着した際は、保持手段で袋体の開口を引き絞って首元で保持すると共に、袋体の前面をたぐり寄せる規制部をあご下に位置させることで、マスクをずれ難くすることができる。そして、袋体の横側を回して袋体の前側で自由端を互いに接続する２本の装着体により、袋体を前側にたぐり寄せて口元にスペースを画成し得るから、口元の圧迫することなく、ずれ難くすることができ、マスクの装着感を向上させることができる。
【０００７】
請求項２に係る考案では、前記２本の装着体には、自由端のそれぞれに互いに接合可能な面ファスナーが設けられることを要旨とする。
請求項２に係る考案によれば、面ファスナーにより装着体を簡単に接続することができる。
【０００８】
請求項３に係る考案では、前記規制部は、前記袋体にひだを設けるシャーリング加工で形成されることを要旨とする。
請求項３に係る考案によれば、シャーリング加工により規制部を簡単に形成することができる。
【０００９】
請求項４に係る考案では、前記袋体の閉塞端には、まちが設けられていることを要旨とする。
請求項４に係る考案によれば、袋体の閉塞端に設けられたまちにより、頭頂部のフィット感を向上することができる。
【考案の効果】
【００１０】
本考案に係るマスクによれば、頭全体を覆っても装着感がよい。
【図面の簡単な説明】
【００１１】
【図１】(ａ)は本考案の好適な実施例に係るマスクを示す正面図であり、(ｂ)は(ａ)を頭に被った状態を示す。
【図２】(ａ)は実施例に係るマスクを示す側面図であり、(ｂ)は(ａ)を頭に被った状態を示す。
【図３】実施例のマスクを示す側面図であり、(ａ)は保持手段で袋体の開口を絞った状態を示し、(ｂ)は２本の装着体を接続した装着状態を示す。
【図４】実施例のマスクを折り畳んだ状態の一例を示す概略斜視図である。
【考案を実施するための形態】
【００１２】
次に、本考案に係るマスクにつき、好適な実施例を挙げて、添付図面を参照して以下に説明する。
【実施例】
【００１３】
図１および図２に示すように、実施例に係るマスク１０は、一端が開口すると共に他端が閉塞する袋状に形成された袋体１２を本体とし、袋体１２を頭に被って装着するようになっている。袋体１２は、可撓性および通気性を有して折り畳み可能なフィルター材で構成されている。袋体１２を構成するフィルター材としては、ガーゼ、不織布、織布、ポリウレタンフォーム等の発泡体などから選ばれる単体またはこれらを組み合わせた複層体を用いることができる。なお、フィルター材は、労働安全衛生法で定める防じんマスクの規格「ＤＳ１」および「ＤＬ１」を満たす濾過性能を有するのが望ましい。特に、ＤＳ２規格以上のフィルター材を用いることで、ＰＭ２．５にも対応できる。そして、マスク１０は、装着した際に頭全体を覆う袋体１２を介して、吸気および排気が可能となっている。袋体１２は、合掌状に重ね合わせた前後２枚のフィルター材の側縁をそれぞれ接合すると共に、閉塞端となる上縁の間を別のフィルター材で繋ぎ合わせて、閉塞端にまち(襠)１２ａが設けられている。
【００１４】
前記袋体１２の前面には、閉塞端と開口端との間に、可撓性を有する透明なシートからなる透視部１４が設けられている(図１および図２参照)。透視部１４は、装着者が袋体１２を頭に被った際に、袋体１２において目に対応する位置に設けられ、目より上下左右へ幅広に形成されて視野を広く確保できるようになっている。透視部１４としては、例えばビニールやポリエチレンやポリエチレンテレフタレートなどの合成樹脂フィルムを用いることができ、透視部１４を介して少なくとも袋体１２の内側から外側を見通すことができるよう構成される。
【００１５】
図１および図２に示すように、前記マスク１０には、袋体１２の開口を巾着状に引き絞ることができる保持手段１６が、袋体１２の開口側に設けられている。保持手段１６は、袋体１２の開口縁全周に亘って筒状に形成された筒状部１８と、この筒状部１８に通されて、端が筒状部１８に形成された切れ目から外部に出ている紐２０と、この紐２０の外部に出ている端に取り付けられたコードストッパー２２とから構成されている。保持手段１６は、紐２０を外部へ引き出すことで袋体１２の開口を周方向へ引き絞ることができ、コードストッパー２２で紐２０が筒状体１８内に引き込まれないように留めることで、袋体１２の開口の引き絞り状態を維持できる。また、マスク１０は、保持手段１６のコードストッパー２２を解除して袋体１２の開口を周方向へ広げることで、開口を引き絞った状態から袋体１２を元に戻すことができる。コードストッパー２２は、紐を挿通可能な孔があいた本体と、紐を挿通可能な孔が設けられ、本体に往復変位可能に保持された規制具とから構成される。コードストッパー２２は、規制具を付勢するばねに抗して本体と規制具との孔を揃えることで、紐２０に対する位置を調整でき、ばねの付勢により規制具と本体との孔がずれることで、紐２０に留まるようになっている。
【００１６】
図１および図２に示すように、前記マスク１０には、袋体１２を頭に被った際に袋体１２において装着者のあご下に対応する位置に、袋体１２を周方向へたぐり寄せる規制部２４が設けられている。規制部２４は、保持手段１６より上側に位置して、袋体１２の前面における保持手段１６と透視部１４との間に設けられる。規制部２４は、上下に延在する折り目が左右に並ぶひだで構成され、袋体１２の前面を周方向へ引き絞っている。規制部２４は、上下に間隔をあけてミシンで袋体を左右へ縫製した後に、下糸を引いて袋体１２を周方向へたぐり寄せてひだを作る所謂シャーリング加工で形成される。そして、シャーリング加工によれば、規制部２４を簡単に形成することができる。なお、規制部２４をなす下糸としてゴムを用いて、規制部２４を左右へ伸び縮みするよう構成してもよい。
【００１７】
図１および図２に示すように、前記マスク１０は、袋体１２の後側に接続されて、周方向へ反対向きに延びる２本の装着体２６からなる装着補助手段を備えている。装着体２６は、可撓性を有する素材で構成された帯状体であり、１本の帯状体の中央を袋体１２の後面に接合して、接続部分から左右に延びる帯状体の自由端が左右の装着体２６,２６となっている。装着体２６の後端は、保持手段１６および規制部２４より上側、かつ透視部１４より下側で袋体１２の後面における左右中央に接続され、袋体１２を頭に被った際に口元から鼻あたりに対応する高さに位置するよう設定されている。なお、実施例では、左右の装着体２６,２６の自由端を口の直下位置で接続するようになっている。また、左右の装着体２６,２６は、後側から袋体１２の横側を回して前側で自由端を互いに着脱可能に接続できるようになっている。ここで、左右の装着体２６,２６の自由端には、面ファスナー２８がそれぞれ設けられ、面ファスナー２８を互いに重ね合わせて着脱可能になっている。
【００１８】
〔実施例の作用〕
次に、実施例に係るマスク１０の作用について説明する。マスク１０を使用するときは、袋体１２を頭に被ることで、目、鼻、口および耳を含んだ頭全体が袋体１２で覆われ、目の前側に透視部１４が位置して、外部を透視部１４を介して見通すことができる(図１(ｂ)および図２(ｂ))。保持手段１６の紐２０を引っ張って、保持手段１６で袋体１２の開口を首元で引き絞ることで、マスク１０が装着者の首で保持される。このように、保持手段１６により袋体１２の開口を引き絞ることで、袋体１２の開口から粉塵などを入り難くすることができる。この際に、袋体１２を周方向へたぐり寄せて該袋体１２の前面をすぼめている規制部２４があご下に位置して、規制部２４により袋体１２の上方移動が規制されるので、顔に対してマスク１０をずれ難くすることができる(図３(ａ))。次に、左右の装着体２６,２６を袋体１２の横側を通して前側へ回して、袋体１２の前側で面ファスナー２８,２８を互いに接続する。これにより、左右の装着体２６,２６により頭の後側および横側で余っていた袋体１２が前側へたぐり寄せられ、袋体１２における口元に対応する部分にスペースが画成される(図３(ｂ))。マスク１０は、保持手段１６で袋体１２の開口を絞ったり、袋体１２の前面を絞ってずれ止めする規制部２４などにより、袋体１２における口元に対応する部分が口元に接するように引き寄せられる(図３(ａ))。しかしながら、マスク１０は、左右の装着体２６,２６で袋体１２を前側にたぐり寄せて、口元にスペースを画成することができる。従って、マスク１０は、保持手段１６および規制部２４で袋体１２がずれないように位置規制したとしても、前記スペースにより口元に圧迫感を与えることなく息苦しく感じることを回避できる。
【００１９】
このように、実施例のマスク１０によれば、頭からずれ難く、口元に圧迫感を与えないので、装着感に優れている。また、マスク１０は、袋体１２の開口を保持手段１６で引き絞って首元に保持されるので、袋体１２が風や装着者の動作によりめくれ上がることはなく、例えば砂漠での砂嵐などにも使用することができる。マスク１０は、保持手段１６の引き絞り量の調節により、袋体１２の開口を装着者の体格に合わせることができ、汎用性が高い。また、マスク１０は、汎用性をより高くするために袋体１２をある程度大きく設定したとしても、左右の装着体２６,２６の接続位置の調節により、装着者の後頭部および横顔に合わせてだぶつきなく装着できる。すなわち、マスク１０は、装着者の体格、眼鏡の有無、頭髪量などに左右されることなく、装着することができる。しかも、マスク１０は、袋体１２の閉塞端に設けられたまち１２ａにより、頭頂部のフィット感を向上することができる。
【００２０】
前記マスク１０は、全体として折り畳み可能な可撓性を有しているので、折り畳んでコンパクトにすることができる。例えば図４に示すように、袋体１２を折り畳んで、左右の装着体２６,２６を折り畳んだ袋体１２に回して面ファスナー２８,２８で接続することで、折り畳み状態を保持することができる。このように、実施例のマスク１０は、通気性を有するフィルター材からなる袋体１２で大部分が構成されているので軽量であり、また袋体１２を折り畳んだコンパクトにすることができるので、携帯性に非常に優れている。
【００２１】
前記マスク１０は、袋体１２を被った後に、保持手段１６の紐２０を引っ張ると共に左右の装着体２６,２６を面ファスナー２８,２８で接続するだけなので、大人だけでなく子供も簡単に装着できる。火山の噴火や地震の発生など、災害のリスクは常にあることから、簡単に装着できる前記マスク１０は、災害時の避難に際して有用である。しかも、マスク１０は、構成が簡単で、コンパクトにすることで場所を取らないので、学校や会社などの施設への常備を促すことができる。
【００２２】
(変更例)
前述した実施例の構成に限られず、例えば以下のようにも変更することができる。
(１)装着補助手段は、装着体の自由端を結束することで接続する構成であってもよい。また、装着体は、帯状体に限らず、ひもであってもよい。
(２)規制部は、袋体を巾着状に引き絞り調節可能に構成してもよい。
(３)フィルター材として、クッション性がある素材を用いて、マスクを防災ずきんとしても使用できるようにしてもよい。
【符号の説明】
【００２３】
１２ 袋体，１２ａ まち，１４ 透視部，１６ 保持手段，２４ 規制部，
２６ 装着体，２８ 面ファスナー
【図１】
0003197743.tif 000003
【図２】
0003197743.tif 000004
【図３】
0003197743.tif 000005
【図４】
0003197743.tif 000006